(57)【特許請求の範囲】
【請求項１】
壁面（１）等の構造物に固定される本体（５）と、該本体（５）の上部に固定された背もたれ部（６）と、該背もたれ部（６）の下側に屈曲自在に連結された座部（７）と、該座部（７）の前側に屈曲自在に連結されたストッパー部（８）と、後端側が前記背もたれ部（６）に枢支され且つ前端側が前記ストッパー部（８）に枢支された安全サークル（９）とを備え、前記座部（７）と前記安全サークル（９）とが前方に突出する使用状態と起立する折り畳み状態との間で姿勢変更自在に構成された子供用椅子において、前記座部（７）に後方に突出する突出部（１２）を設け、該突出部（１２）が前記背もたれ部（６）と前記座部（７）との連結部（１０）から後方に離れた位置で下側から当接して前記座部（７）を前記使用状態に保持する受け部（１５）を前記本体（５）に設けたことを特徴とする子供用椅子。
【請求項２】
前記突出部（１２）は、前記座部（７）の下面に前部側が固定され且つ後端側が後方に突出する突出板（４５）によって構成され、前記使用状態のときに、前記突出板（４５）の後端側が前記受け部（１５）に略面接触するようにしたことを特徴とする請求項１に記載の子供用椅子。
【請求項３】
前記座部（７）の下面に後ろ上がりに傾斜する傾斜部（４４ａ）を形成し、該傾斜部（４４ａ）に前記突出板（４５）の前部側を固定し、該突出板（４５）が前記背もたれ部（６）の下面に沿い且つ後端側が前記受け部（１５）に略面接触するように折曲されたことを特徴とする請求項２に記載の子供用椅子。
【請求項４】
前記本体（５）の下部に前面が円弧状に張り出した張り出し部（１７）を設け、前記突出部（１２）を後方に突出する円弧状に形成し、前記使用状態と前記折り畳み状態との間で姿勢変更する際の前記突出部（１２）の軌道に対応して下後方に凹入し且つ前記折り畳み状態のときに前記突出部（１２）によって略塞がれる凹入部（１４）を前記張り出し部（１７）の上端側に設けたことを特徴とする請求項１〜３の何れかに記載の子供用椅子。
【請求項５】
前記凹入部（１４）の上側に、略平面状に形成された前記受け部（１５）を設けたことを特徴とする請求項４に記載の子供用椅子。
【発明の詳細な説明】
【０００１】
【発明の属する技術分野】
本発明は、公共施設、駅、デパートの洗面所等の壁面に設置して、子供を座らせる折り畳み式の子供用椅子に関するものである。
【０００２】
【従来の技術】
公共施設、駅、デパートの洗面所等の壁面側に設置され、子供を連れた人が洗面所等で身繕い等をする際に、子供を一時的に座らせておく場合に使用する子供用椅子において、壁面側に固定される本体と、この本体の上部に固定された背もたれ部と、背もたれ部の下側に枢軸等の連結部を介して屈曲自在に連結された座部と、座部の前側に屈曲自在に連結されたストッパー部と、後端側が背もたれ部に枢支され且つ前端側がストッパー部に枢支された安全サークルとを備え、座部と安全サークルとを前方に突出する使用状態と背もたれ部に沿って起立する折り畳み状態との間で姿勢変更自在にしたものがある。
【０００３】
【発明が解決しようとする課題】
従来の子供用椅子は、背もたれ部の下端部に枢軸等の連結部を介して座部を連結すると共に、背もたれ部の下端で連結部の後側に受け部を設け、座部の後端側に、使用状態のときに受け部に下側から当接する当接部を設け、使用状態の座部を連結部と受け部及び当接部とにより支持するようにしている。
【０００４】
このため背もたれ部の下部側の構造が複雑で大型化し、しかも十分な支持強度を確保し難い欠点がある。即ち、連結部、受け部等の負担を軽減しつつ使用状態の座部を確実に支持するためには、当接部が受け部に当接する位置を連結部から離す必要がある。しかし、従来は背もたれ部の下端側に連結部と受け部とを設けているため、連結部と受け部との間隔を大きくすれば、背もたれ部の下部側の構造が大型化する。
【０００５】
また連結部及び受け部が共に背もたれ部の下端部側にあるため、連結部と受け部との間隔を大きくするとしても、構造的にもデザイン的にも自ずと限度があり、十分な間隔の確保が非常に困難である。しかも、連結部と受け部との間隔を十分に確保し難い上に、その連結部及び受け部には座部側の荷重が逆方向にかかるため、背もたれ部の下端部側にその逆方向の荷重に耐える補強構造を設ける必要があり、背もたれ部の下端部側が構造的に複雑になる欠点がある。
【０００６】
本発明は、かかる従来の問題点に鑑み、連結部及び受け部の負担を軽減しながら十分な支持強度を容易に確保でき、背もたれ部の下部側の構造の複雑化、大型化を防止でき、背もたれ部と座部との連結部の近傍のデザイン面の自由度を大きくできる子供用椅子を提供することを目的とする。
【０００７】
【課題を解決するための手段】
本発明は、壁面１等の構造物に固定される本体５と、該本体５の上部に固定された背もたれ部６と、該背もたれ部６の下側に屈曲自在に連結された座部７と、該座部７の前側に屈曲自在に連結されたストッパー部８と、後端側が前記背もたれ部６に枢支され且つ前端側が前記ストッパー部８に枢支された安全サークル９とを備え、前記座部７と前記安全サークル９とが前方に突出する使用状態と起立する折り畳み状態との間で姿勢変更自在に構成された子供用椅子において、前記座部７に後方に突出する突出部１２を設け、該突出部１２が前記背もたれ部６と前記座部７との連結部１０から後方に離れた位置で下側から当接して前記座部７を前記使用状態に保持する受け部１５を前記本体５に設けたものである。
【０００８】
【発明の実施の形態】
以下、本発明の一実施形態を図面に基づいて詳述する。図面は本発明の一実施形態を例示し、図１において、１は建造物等の壁面、２は壁面１に挟まれた入り隅、３は床面である。４は子供用椅子であり、左右の壁面１間の入り隅２、または一方の壁面１に沿って配置され固定されている。
【０００９】
子供用椅子４は、図２〜図６に示すように、入り隅２において左右の壁面１等に固定された本体５と、この本体５の上部に固定された背もたれ部６と、背もたれ部６の下側に屈曲自在に連結された座部７と、座部７の前側に屈曲自在に連結されたストッパー部８と、後端側が背もたれ部６に枢支され且つ前端側がストッパー部８に枢支された安全サークル９とを備え、座部７、安全サークル９が前方に突出する使用状態（図１（ａ）参照）と、座部７、ストッパー部８及び安全サークル９が背もたれ部６に沿って起立する折り畳み状態（図１（ｂ）参照）との間で姿勢変更自在に構成されている。
【００１０】
本体５、背もたれ部６、座部７、ストッパー部８及び安全サークル９は、ＡＢＳ樹脂、ＦＲＰ、ポリプロピレン等の合成樹脂製であり、本体５はブロー成型法、射出成型法により、安全サークル９は射出成型法により夫々成型されている。背もたれ部６、座部７及びストッパー部８は、図５、図１４及び図１５に示すように、ブロー成型法等により中空状に成型されると共に、屈曲自在な第１連結部１０、第２連結部１１を介して一体に成型されており、その第１連結部１０、第２連結部１１の屈曲により使用状態と折り畳み状態とに屈曲自在である。
【００１１】
そして、座部７、安全サークル９等は、座部７の下側から第１連結部１０の下側近傍を経て後方に突出する突出部１２と、この突出部１２が第１連結部１０から後方に離れた位置で下側から当接する本体５側の受け部１５とによって使用状態に保持可能であり、また安全サークル９の後端側で背もたれ部６との間に設けられた姿勢保持機構５１（図１２及び図１３参照）により使用状態及び折り畳み状態に保持可能である。
【００１２】
本体５は縦長状であって、図３、図５及び図９に示すように、上部側に背もたれ部６用の取付部１６を、この取付部１６の下側に前側への張り出し部１７を夫々備え、その取付部１６と張り出し部１７とに跨がって裏側から着脱自在に嵌合する上下方向の補強部材２０によって補強されている。そして本体５は、入り隅２に配置したときにその両側縁が左右の壁面１に近接又は接触するように、張り出し部１７側の左右両側縁が略平行であり、また片側の壁面１等に沿って配置したときに裏面側がその壁面１等に近接又は接触するように、上下方向の全体にわたって平面状に構成されている。
【００１３】
取付部１６は本体５の左右方向の略中央にあり、左右幅が張り出し部１７よりも狭く、前後厚さが張り出し部１７よりも薄くなっている。この取付部１６は、背もたれ部６の裏側に形成された取付凹部１８に裏側から嵌合されて、その上端側のボルト３４により背もたれ部６に着脱自在に固定されている。ボルト３４は左右に２個あり、背もたれ部６の取付凹部１８内に埋設されたナット３３に裏側から螺合されている。張り出し部１７は背もたれ部６の下側で前側に露出する部分の略全体に設けられ、前側へと円弧状に張り出す横断面円弧状に形成されている。
【００１４】
なお、取付部１６の下部には、その下側の受け部１５との間に跨がって前側に突出する上下方向の補強凸部３５が一体に形成され、この補強凸部３５によって取付部１６の下部が補強されている。補強凸部３５は左右に２個あり、この各補強凸部３５が嵌合する凹部３６が背もたれ部６の裏側の下部に２個形成されている。
【００１５】
補強部材２０は横断面コ字状等であって、取付部１６及び張り出し部１７の裏側に形成された縦方向の嵌合凹部１９内に、その取付部１６側の上端部を除いて上下方向に配置されており、この補強部材２０の上端部の係合部２１に、取付部１６の嵌合凹部１９内で背もたれ部６の取り付け用のボルト３４により共締め状態で固定された係合具２４が上側から係脱自在に係合されている。従って、背もたれ部６側の荷重は本体５で支持されると共に、その上下方向の略中央部よりも若干上側で係合具２４を介して補強部材２０により支持されている。
【００１６】
補強部材２０には、背もたれ部６の下側近傍に対応して左右方向に壁面取付板２２が、下端に張り出し部１７に対応する略半円状のベース板２３が夫々溶接等により固定されている。そして、本体５は、背もたれ部６の下側近傍で張り出し部１７の左右両側部に挿通され且つ壁面取付板２２の両端側の切り欠き部２２ａを貫通するボルト２６により、入り隅２側の壁面１に固定されたコーナー取付具（図示略）に着脱自在に取り付けられると共に、張り出し部１７の下端部に上側からベース板２３を貫通するボルト２７により、床面３側に埋め込まれたアンカーナット（図示略）に着脱自在に取り付けられている。なお、ボルト２７は、張り出し部１７の前端中央部に設けられている。またベース板２３は、その後部側の左右一対のボルト２８により床面３側のアンカーナット（図示略）に螺合されている。
【００１７】
背もたれ部６は、図２〜図７、図１４に示すように、正面視形状が下端縁３７を除いて略縦長楕円状であって、前面壁２９及び後面壁３０がその周縁側で一体化され且つ略全体が略均一な肉厚の中空状に成型されている。また背もたれ部６は、座部７上の子供がもたれ易いように背もたれ面２９ａを形成する前面壁２９が後ろ上がりに湾曲すると共に、前側に円弧状に湾曲する湾曲縁部３１が左右両側に、前側に円弧状に湾曲する下湾曲部３２が下端縁３７の上側近傍に夫々設けられ、その湾曲縁部３１の上側の段部３１ａに安全サークル９の後端側が配置されている。背もたれ部６の後面壁３０は、図３〜図８に示すように、その中央部分が本体５及び壁面取付板２２の後面と略面一状に形成された平坦面３０ａとなっており、この平坦面３０ａの周辺は左右の湾曲縁部３１の裏側から平坦面３０ａに向かって後ろ窄まり状となっている。なお、ナット３３は背もたれ部６の前面壁２９と後面壁３０とに跨がって埋設され、また平坦面３０ａに取付凹部１８が形成されている。
【００１８】
座部７は、図２〜図６、図１４に示すように、平面視形状が後端縁３８を除いて略円形状であって、上面壁４３及び下面壁４４がその周縁側で一体化され且つ略全体が背もたれ部６側と略同一の略均一な肉厚の中空状に成型されている。上面壁４３には、子供が座り易くなるように中央部分に左右方向の長円状の座凹部４３ａが形成されている。下面壁４４は中央が低くなる球面状に形成されると共に、後部側に後端縁３８に向かって後ろ上がりに傾斜する傾斜部４４ａが形成され、この傾斜部４４ａに突出板４５の前部側がネジ４６により着脱自在固定されている。
【００１９】
背もたれ部６の下端縁３７と座部７の後端縁３８は、図１４に示すように略同一長さで左右方向に略平行に略一直線状に成型され、安全サークル９の後端部間の間隔よりも若干短い程度に左右方向に十分な長さを有し、その両者の略全長にわたって第１連結部１０が一体に成型されている。第１連結部１０は、図１０、図１４に示すように、背もたれ部６及び座部７と略同一の略均一な厚さを有し、下方に円弧状に湾曲して背もたれ部６の前面側と座部７の上面側とを連結するように一体に成型されている。第１連結部１０の左右両端部には、継続的な屈曲変形による亀裂の発生を防止するために、その連結方向の全長にわたって突条部１０ａが一体に成型されている。なお、第１連結部１０は、成型時点において円弧状に湾曲している。
【００２０】
突出板４５は、前部側が座部７の傾斜部４４ａに対応する略半円状であり、後部側が後方に円弧状に突出する略逆半円状であって、座部７の後端縁３８の下側に対応する両半円部分の中間の第１折曲部４５ａで、使用状態のときに第１連結部１０の下を経て背もたれ部６の下湾曲部３２の下面近傍側に沿うように下側に折り曲げられ、後端側が第１連結部１０よりも後方に十分離間した位置で受け部１５に略面接触状に接触するように、その受け部１５の前端近傍の第２折曲部４５ｂで更に下側に折り曲げられている。従って、突出板４５は第１折曲部４５ａと第２折曲部４５ｂとで同一側に２段階に折り曲げられており、その後端側が受け部１５に当接する突出部１２となっている。
【００２１】
なお、突出板４５の第１連結部１０に対応する部分の左右幅は、第１連結部１０の湾曲部分に下側から接触又は近接して第１連結部１０をその左右方向の略全体で下側から覆うように、第１連結部１０の左右方向の長さと略同程度になっている。
【００２２】
本体５の受け部１５は、図５及び図９に示すように、その取付部１６と張り出し部１７との境界部分において、背もたれ部６の前側に湾曲する下湾曲部３２の後端側から後ろ下がりに傾斜状に形成され、第１連結部１０から後方に十分離間した位置で左右方向に配置されている。また本体５には、使用状態と折り畳み状態とに姿勢変更する際に突出板４５との干渉を避けるための凹入部１４が受け部１５の下側に形成されている。この凹入部１４は、後方に円弧状に突出する突出板４５の軌道に対応して下後方に凹入し、且つ折り畳み状態のときに突出板４５によって略塞がれるように張り出し部１７の上端側に設けられている。なお、突出板４５の後端側の突出部１２は、図１５に示すように、折り畳み状態のときに凹入部１４の前端から前に出ない程度の角度になっている。
【００２３】
ストッパー部８は、子供が股間に挟んで落下を防止するためのものであって、図２、図４〜図６に示すように、正面視において縦長の長円状又は帯状等に構成され、前面壁３９及び後面壁４０がその周縁側で一体化され且つ略全体が背もたれ部６及び座部７側と略同一の略均一な肉厚の中空状に成型されている。なお、ストッパー部８は、側面視において若干前側に湾曲状になっている。
【００２４】
ストッパー部８は、図５及び図１４に示すように、第２連結部１１を介して座部７の前側に一体に成型されている。第２連結部１１は、図１１及び図１４に示すように、ストッパー部８の下端部側と略同幅又は若干狭い程度の左右幅を有し、座部７側の肉厚部４１ａと、ストッパー部８側の肉厚部４１ｂと、これらの間の屈曲部４１ｃとにより構成され、その屈曲部４１ｃで屈曲するようになっている。座部７側の肉厚部４１ａは、座部７の上面壁４３の前端から前方に突設され、ストッパー部８側の肉厚部４１ｂは、ストッパー部８の下部の前後の厚さ方向の略中央部から下方に突設されている。
【００２５】
ストッパー部８の下部には、使用状態のときに座部７の前端よりも後方に膨らむ膨らみ部８ａが幅方向の中央部分に形成され、またこの膨らみ部８ａの下側が、座部７との間に十分な空間を確保するように後ろ上がりに傾斜状に形成されている。第２連結部１１の屈曲部４１ｃは、その厚さ方向の両側の凹部により薄肉状に形成されており、継続的な屈曲変形による亀裂の発生を防止するために、屈曲部４１ｃの左右両側に各肉厚部４１ａ，４１ｂと略同一厚さの突条部４１ｄが設けられている。なお、第２連結部１１は、その座部７側の肉厚部４１ａとストッパー部８側の肉厚部４１ｂとが略一直線状となる状態で成型されている。また肉厚部４１ａ，４１ｂは座部７及びストッパー部８の肉厚と略同程度である。
【００２６】
安全サークル９は座部７上の子供の胴を取り囲んで脱落を防止するためのもので、図６及び図１２に示すように、前部がストッパー部８側へと内側に円弧状に湾曲する左右一対のアーム４７を備え、その前端側がボルト（枢軸）４８を介してストッパー部８の左右両側に回動自在に連結され、後端側が背もたれ部６の左右の段部３１ａ側でボルト（枢軸）４９及び姿勢保持機構５１を介して背もたれ部６に回動自在に連結されている。即ち、各アーム４７の前端側にはボルト４８が埋設され、そのボルト４８がストッパー部８の左右両側に埋め込まれたナット５０に逆方向に螺合されている。アーム４７の後端部には枢支孔５２が形成され、その枢支孔５２にボルト４９に套嵌されたカラー５３が挿通されている。ボルト４９は背もたれ部６側に埋め込まれたナット５４に螺合され、接着剤等で回動不能にナット５４に固定されている。
【００２７】
姿勢保持機構５１は安全サークル９を使用状態と折り畳み状態とに保持するためのもので、図１２及び図１３に示すように、背もたれ部６側に形成された使用状態用及び折り畳み状態用の保持凹部５５と、アーム４７側に形成され且つ安全サークル９を使用状態及び折り畳み状態にしたときに保持凹部５５に択一的に嵌脱自在に嵌合する保持凸部５６と、枢支孔５２内でカラー５３に套嵌され且つボルト４９の頭部４９ａとの間でアーム４７を背もたれ部６側に押圧するコイルバネ等の圧縮バネ５８とを備えている。保持凸部５６はボルト４９の軸対称に２個あり、保持凹部５５はその保持凸部５６に対応して４個ある。なお、保持凹部５５を安全サークル９側に、保持凸部５６を背もたれ部６側に設けても良い。
【００２８】
上記構成の子供用椅子を入り隅２を挟む左右両壁面１に設置する際には、まずコーナー取付具を壁面１に固定し、アンカーナットを床面３の所定位置に埋め込んでおく。そして、補強部材２０を所定位置に配置し、ベース板２３の後端の左右両側をボルト２８により床面３に固定する。これによって補強部材２０を床面３に確実に固定でき、取付作業中に補強部材２０が転倒するといった惧れがなくなる。
【００２９】
次に、本体５の取付部１６を背もたれ部６の取付凹部１８に嵌め込み、係合具２４と本体５の取付部１６と背もたれ部６とをボルト３４により固定する。そして、本体５の後面の嵌合凹部１９に補強部材２０を嵌合させて、本体５を上側から補強部材２０に沿ってスライドさせると、補強部材２０の係合部２１に係合具２４が上側から係合し、補強部材２０に本体５を固定できる。その後、本体５の張り出し部１７の上側の左右両側と補強部材２０の壁面取付板２２とをボルト２６によりコーナー取付具に共締めで固定し、本体５と補強部材２０のベース板２３とをボルト２７により床面３に共締めで固定する。
【００３０】
このように本体５と補強部材２０とを共締めによって壁面１及び床面３に固定することにより、ボルトを締める箇所が少なくなるので、設置作業を簡単且つ迅速に行うことができる。また補強部材２０のベース板２３は、後側の２箇所で単独に床面３に固定されているので、本体５を取り外す必要があるときは共締めされている部分のみのボルト２６，２７を外せば本体５を取り外すことができる。そのときにも補強部材２０は床面３に固定したままでよく、補強部材２０が転倒するといった惧れもない。
【００３１】
このように設置された子供用椅子は通常、座部７とストッパー部８と安全サークル９とを背もたれ部６に沿って起立する折り畳み状態にして、姿勢保持機構５１により折り畳み状態に保持しておく。従って、使用しないときは前方への張り出し量を少なくでき、狭い空間に設置した場合にも邪魔になることがない。また折り畳み状態用の保持凹部５５に保持凸部５６が嵌合するため、簡単な姿勢保持機構５１により座部７等を折り畳み状態に確実に保持できる。
【００３２】
子供を座らせるために使用する際は、座部７の前側を持って前側に引くようにして突出部１２が受け部１５に当接するまで下側に倒せばよく、簡単に使用状態に姿勢変更できる。この使用状態では突出部１２が受け部１５に当接するので、座部７がそれ以上下がることはない。また使用状態用の保持凹部５５に保持凸部５６が嵌合するため、簡単な姿勢保持機構５１により座部等を使用状態に確実に保持できる。
【００３３】
このような簡単な操作で使用状態に姿勢変更できるので、子供を抱きながら片手で操作することも可能である。また使用状態から折り畳み状態に折り畳むときも座部７を持って、姿勢保持機構５１の保持凸部５６が保持凹部５５に嵌合するまで上方に持ち上げるだけでよいので、片手で簡単に操作で操作できる。
【００３４】
この子供用椅子は、座部７に後方に突出する突出部１２を設け、突出部１２が背もたれ部６と座部７との第１連結部１０から後方に離れた位置で下側から当接して座部７を使用状態に保持する受け部１５を本体５に設けているので、座部７にかかる加重を背もたれ部６と本体５とで分散して受け、背もたれ部６と座部７との連結部１０にかかる負担を軽減することができる。さらに、本体５と背もたれ部６との固定部にかかる負担も軽減でき安全性及び安定性が向上する。しかも、背もたれ部６の下部側で座部７側の荷重を支持する従来の構造に比べて、背もたれ部６及び座部７のデザイン面の自由度が大になる。また背もたれ部６と座部７との連結部１０から後方に離れた位置に受け部１５を設け、その受け部１５が座部７から後方に突出する突出部１２を介して座部７にかかる加重を受けるように構成しているので、連結部１０の近傍で加重を受ける場合に比べて突出部１２及び受け部１５にかかる負担を小さくできる。
【００３５】
また突出部１２を、座部７の下面に前部側が固定され且つ後端側が後方に突出した突出板４５によって構成しているので、突出部１２を座部７に一体成型した場合に比べて座部７の構成を簡単にできる。また突出板４５を合成樹脂よりも強度の大きい材質、例えば鉄板等の金属板により構成すれば、十分な強度を確保でき安全性が高まる。使用状態のときに、突出板４５の後端側が受け部１５に略面接触するように構成しているので、点、あるいは線で当接する場合に比較して当接する部分全体で略平均して加重を負担でき、破損の惧れを少なくできると共に、座部７等のガタつきを少なくできる。
【００３６】
さらに、座部７の下面に後ろ上がりに傾斜する傾斜部４４ａを形成し、傾斜部４４ａに突出板４５の前部側を固定し、突出板４５が背もたれ部６の下面に沿い且つ後端側が受け部１５に略面接触するように２段階に折曲されているので、突出板４５を座部７に固定しているにもかかわらず、座部７及び背もたれ部６の後ろに隠すことができ、見た目が良い。
【００３７】
しかも、本体５の下部に前面が円弧状に張り出す張り出し部１７を設け、突出部１２を後方に膨らむ円弧状に形成し、使用状態と折り畳み状態との間で姿勢変更する際の突出部１２の軌道に対応して下後方に凹入し且つ折り畳み状態のときに突出部１２によって略塞がれる凹入部１４を張り出し部１７の上端側に設けているので、折り畳み状態のときに凹入部１４を前側から隠すことができ、外観が良い。また突出板４５を略楕円形状に形成して突出部１２を後方に膨らむ円弧状としているので、例えば、突出部１２の後部側を略４角形状としてその幅寸法が大きい場合に比べて片当たりになるといった惧れが少なく、確実に受け部１５に当接してガタつき、破損等の発生を極力防止できる。さらに、張り出し部１７に所定の奥行を確保して本体５の強度を確保しているにもかかわらず、上端側の取付部１６の奥行を小さくしているので、背もたれ部６等の前方への突出量を小さくすることができる。
【００３８】
そのうえ、凹入部１４の上側に、略平面上に形成された受け部１５を設けているので、突出部１２が確実に受け部１５に当接して座部７を使用状態に保持することができる。また受け部１５を本体５に一体成型しているので、容易に製作できるにもかかわらず十分な強度を得ることができ、安全性が増す。
【００３９】
また突出板４５は、使用状態のときに背もたれ部６の下面に沿って近接し、折り畳み状態のときに後端側の突出部１２が本体５の凹入部１４の前端から前に出ない程度に２段階に折曲されているので、折り畳み状態のときに前方に突出することがなく、外観が良い上に安全である。しかも、第１連結部１０と突出板４５とが近接又は接触しているので、第１連結部１０付近の外観を薄くでき、見た目が良い。突出板４５は第１連結部１０の左右方向の略全体を下側から覆うように設けられているので、下側及び横側から第１連結部１０を保護でき、破損の惧れを少なくできる。
【００４０】
また背もたれ部６に取付凹部１８を設け、その取付凹部１８に奥行の小さい本体５の取付部１６が嵌合しているので、全体の突出量を小さくでき、狭い設置スペースにも設置可能である。
【００４１】
以上、本発明の一実施形態を例示したが、本発明はこの実施形態に限定されるものではない。例えば、実施形態では、座部７に固定した突出板４５によって突出部１２を構成しているが、突出部１２は座部７に一体成型することも可能である。この場合、容易に製作することができ、部品点数を少なくできるが、十分な強度を有する形状にして安全性を確保する必要がある。また突出部１２の形状は、実施形態では後側が円弧状に膨らんだ形状にしているが、後部側の形状を略４角形状、略３角形状等、他の形状にしても良い。この場合、本体５に形成する凹入部１４及び受け部１５も突出部１２の形状に対応して適宜変更すれば良い。要するに、座部７に後方に突出する突出部１２を設け、突出部１２が背もたれ部６と座部７との連結部１０から後方に離れた位置で下側から当接して座部７を使用状態に保持する受け部１５を本体５に設けていればよい。
【００４２】
また突出部１２は必ずしも受け部１５に面接触しなくても良い。即ち、一点或いは複数点で点接触するようにしたり、一本或いは複数本の線で線接触するように突出部１２及び受け部１５を構成することも可能である。この場合、十分に強度を確保し、ガタつき等のないようにする必要がある。受け部１５も、実施形態では本体５に一体成型しているが、別体に形成したものをボルト、ナット等の適宜手段により固定するようにしても良い。即ち、受け部１５は本体５に設けてあれば良く、その形状、構成等は適宜変更可能であり、例えば、後ろ下がりではなく、前下りに傾斜するように形成しても良い。
【００４３】
凹入部１４も、姿勢変更の際に突出部１２が本体５の張り出し部１７に接触しないように構成すれば十分であり、その形状は適宜変更しても良い。必ずしも、折り畳み姿勢のときに突出部１２が凹入部１４を前側から略覆い隠すようにしなくても良い。また凹入部１４は、姿勢変更の際の突出部１２の軌道に対応した曲面状ではなく、平面状に凹入するように形成しても良い。
【００４４】
実施形態では、本体５の下部側に前面が円弧状に膨らんだ断面が略半円形状の張り出し部１７を設けているが、張り出し部１７の形状は断面が略４角形状、略３角形状等、他の形状となるようにしても良い。即ち、本体５の形状は、十分に強度を確保できる形状であれば、適宜変更可能である。実施形態では、本体５を取付部１６と張り出し部１７とにより構成しているが、必ずしも、それらを区別する必要はない。例えば、本体５を、その上下方向の略全長にわたって略同一幅及び略同一奥行を有する、略４角柱状、略円柱状等の形状にしても良い。
【００４５】
また実施形態では、背もたれ部６と座部７とストッパー部８とを屈曲可能な連結部１０，１１を介して一体成型しているが、夫々別体に成型して枢軸を介して屈曲自在に連結するようにしても良い。その場合にも、背もたれ部６の下端側に受け部を設け、その受け部に座部７の後端側に設けた当接面が当接して使用状態を保持する従来の構造に比較して、枢軸等にかかる負担を少なくできるので、破損の惧れが少なくなって安全性が増すと共に、枢軸の軸径及び軸受けの肉厚を小さくでき、背もたれ部６及び座部７のデザイン面の自由度を大きくできる。
【００４６】
また本体５の形状、壁面１及び床面３への取り付け構造、本体５と背もたれ部６との取り付け構造等は、あくまでも例示であって、適宜変更すれば良い。即ち、子供の体重等に耐え得る強度を有する形状、取り付け構造であれば良く、実施形態に限られるものではない。配置も入り隅２を挟む左右の壁面１に固定する以外にも、片側の壁面１に本体５及び背もたれ部６の後面が略平行になるように固定しても良い。この場合、コーナー取付具を使用せずに、壁面１にナットを埋め込む等の方法により壁面１に取り付ければ良い。
【００４７】
さらに、実施形態では、本体５を鋼板等の金属製の補強部材２０により補強しているが、本体５を十分に強度の確保できる構造にすれば補強部材２０は必ずしも設けなくても良い。また本体５及び補強部材２０は実施形態に例示の材質に限られたものではなく、加工成型が可能で十分に強度を有する材質であれば良く、適宜変更可能である。また実施形態では、背もたれ部６、座部７、ストッパー部８及び安全サークル９を合成樹脂により成型しているが、その材質は、加工成型が可能で強度が十分であれば、例えば木材等を用いても良く、適宜決定すれば良い。
【００４８】
【発明の効果】
本発明では、壁面１等の構造物に固定される本体５と、該本体５の上部に固定された背もたれ部６と、該背もたれ部６の下側に連結部１０を介して屈曲自在に連結された座部７と、該座部７の前側に屈曲自在に連結されたストッパー部８と、後端側が背もたれ部６に枢支され且つ前端側がストッパー部８に枢支された安全サークル９とを備え、座部７と安全サークル９とが前方に突出する使用状態と起立する折り畳み状態との間で姿勢変更自在に構成された子供用椅子において、座部７に後方に突出する突出部１２を設け、該突出部１２が背もたれ部６と座部７との連結部１０から後方に離れた位置で下側から当接して座部７を使用状態に保持する受け部１５を本体５に設けているので、連結部１０及び受け部１５の負担を軽減しながら十分な支持強度を容易に確保でき、背もたれ部６の下部側の構造の複雑化、大型化を防止でき、背もたれ部６と座部７との連結部１０の近傍のデザイン面の自由度を大きくできる。
【図面の簡単な説明】
【図１】本発明の一実施形態を例示する子供用椅子の設置状態の斜視図である。
【図２】本発明の一実施形態を例示する子供用椅子の正面図である。
【図３】本発明の一実施形態を例示する子供用椅子の背面図である。
【図４】本発明の一実施形態を例示する子供用椅子の側面図である。
【図５】本発明の一実施形態を例示する子供用椅子の断面図である。
【図６】本発明の一実施形態を例示する子供用椅子の平面図である。
【図７】本発明の一実施形態を例示する要部の分解断面図である。
【図８】本発明の一実施形態を例示する本体の正面図である。
【図９】本発明の一実施形態を例示する背もたれ部の背面図である。
【図１０】本発明の一実施形態を例示する第１連結部の拡大断面図である。
【図１１】本発明の一実施形態を例示する第２連結部の拡大断面図である。
【図１２】本発明の一実施形態を例示する姿勢保持機構の断面図である。
【図１３】本発明の一実施形態を例示する背もたれ部の姿勢保持機構側の側面図である。
【図１４】本発明の一実施形態を例示する背もたれ部、座部及びストッパー部の展開図である。
【図１５】本発明の一実施形態を例示する折り畳み状態の断面図である。
【符号の説明】
１      壁面
５      本体
６      背もたれ部
７      座部
８      ストッパー部
９      安全サークル
１０    第１連結部
１２    突出部
１４    凹入部
１５    受け部
１７    張り出し部
４４ａ  傾斜部
４５    突出板
【図１】
0003755648.tif 000002
【図２】
0003755648.tif 000003
【図３】
0003755648.tif 000004
【図４】
0003755648.tif 000005
【図５】
0003755648.tif 000006
【図６】
0003755648.tif 000007
【図７】
0003755648.tif 000008
【図８】
0003755648.tif 000009
【図９】
0003755648.tif 000010
【図１０】
0003755648.tif 000011
【図１１】
0003755648.tif 000012
【図１２】
0003755648.tif 000013
【図１３】
0003755648.tif 000014
【図１４】
0003755648.tif 000015
【図１５】
0003755648.tif 000016